(57)【要約】【課題】情報管理サーバや携帯端末の情報を、他方に対し、リアルタイムで転送可能な情報処理装置や通信システムを提供する。【解決手段】本発明の通信システムは、情報管理サーバと、ネットワークを介して情報管理サーバと接続可能な情報処理装置と、携帯端末とを有する。情報処理装置は、画像を表示させる表示手段と、情報管理サーバとの情報授受を行う対サーバ通信手段と、変換した光パターンデータに従い、対サーバ通信手段が情報管理サーバから得た所定情報を光パターンデータに変換し、表示手段による表示画像の全体又は一部の領域を、第１の色成分及び第２の色成分間で発色変化させる画像利用光送信手段とを有する。携帯端末は、情報処理装置の画像利用光送信手段による発色変化を受信処理する光受信手段を有する。【選択図】  図６
2004151842.tif 000002
【特許請求の範囲】
【請求項１】
情報を管理している情報管理サーバにネットワークを介して接続可能な情報処理装置において、
画像を表示させる表示手段と、
上記情報管理サーバとの情報授受を行う対サーバ通信手段と、
上記対サーバ通信手段が上記情報管理サーバから得た所定情報を光パターンデータに変換し、変換した光パターンデータに従い、上記表示手段による表示画像の全体又は一部の領域を第１の色成分及び第２の色成分間で発色変化させる画像利用光送信手段と
を有することを特徴とする情報処理装置。
【請求項２】
上記画像利用光送信手段は、上記対サーバ通信手段を介して上記情報管理サーバから、自己が行う処理手順情報を取得することを特徴とする請求項１に記載の情報処理装置。
【請求項３】
画像を表示させる表示手段を有する情報処理装置において、
送信情報を光パターンデータに変換する変換手段と、
変換した光パターンデータに従い、上記表示手段による表示画像の全体又は一部の領域を第１の色成分及び第２の色成分間で発色変化させる発色制御手段と
を有することを特徴とする情報処理装置。
【請求項４】
上記第１の色成分が高輝度であり、上記第２の色成分が低輝度であり、両者の波長帯域が同様であることを特徴とする請求項１〜３のいずれかに記載の情報処理装置。
【請求項５】
上記第１の色成分が第１の波長帯域の色成分であり、上記第２の色成分が上記第１の波長帯域とは異なる第２の波長帯域の色成分であることを特徴とする請求項１〜３のいずれかに記載の情報処理装置。
【請求項６】
情報を管理している情報管理サーバと、ネットワークを介して上記情報管理サーバと接続可能な情報処理装置と、携帯端末とを有する通信システムであって、
上記情報処理装置が、画像を表示させる表示手段と、上記情報管理サーバとの情報授受を行う対サーバ通信手段と、上記対サーバ通信手段が上記情報管理サーバから得た所定情報を光パターンデータに変換し、変換した光パターンデータに従い、上記表示手段による表示画像の全体又は一部の領域を第１の色成分及び第２の色成分間で発色変化させる画像利用光送信手段とを有し、
上記携帯端末が、上記情報処理装置の上記画像利用光送信手段による発色変化を受信処理する光受信手段を有する
ことを特徴とする通信システム。
【請求項７】
上記情報処理装置の上記画像利用光送信手段が、上記対サーバ通信手段を介して上記情報管理サーバから、自己が行う処理手順情報を取得することを特徴とする請求項６に記載の通信システム。
【請求項８】
上記携帯端末が、情報を近距離無線送信する近距離無線送信手段を有し、上記情報処理装置が、上記近距離無線送信手段が送信した情報を受信処理する近距離無線受信手段を有することを特徴とする請求項６又は７に記載の通信システム。
【発明の詳細な説明】
【０００１】
【発明の属する技術分野】
本発明は情報処理装置及び通信システムに関し、例えば、Ｗｅｂサーバ側から提供される情報を情報処理装置を介して携帯端末に転送したり、携帯端末の情報を情報処理装置を介してＷｅｂサーバに転送したりし得るようにしたものである。
【０００２】
【従来の技術】
インターネットに、パソコンなどの情報処理装置からアクセスすることが一般的になってきた。また、携帯電話やＰＤＡなどの携帯端末から、インターネットにアクセスすることもかなり普及するようになってきた。また、今日においては、携帯端末を、個人認証用の情報など各種の情報の記憶装置として用いることも、種々のサービスシステムで提案又は実現されている。
【０００３】
携帯端末に、Ｗｅｂページを介して情報を提供する場合には、携帯端末用のＷｅｂページが利用されている。逆に、携帯端末の情報を、Ｗｅｂサーバが吸い上げる場合は、携帯端末用のＷｅｂページが利用されたり、携帯電話回線を介した通信が利用されたりしている。
【０００４】
しかしながら、携帯端末用のＷｅｂページは、携帯端末の表示部の制約や、その記憶部の記憶容量の制約から、情報処理装置用のＷｅｂページに比較して情報量が少ない。そのため、Ｗｅｂサーバが、携帯端末に情報の全体を提供したり、携帯端末から必要な情報の全てを吸い上げたりするためには、複数回の通信（複数のＷｅｂページの授受）が必要となっており、その回数は、情報処理装置用のＷｅｂページによる情報転送より多くなる。
【０００５】
そのため、利用者が、情報処理装置を用いて、情報処理装置用のＷｅｂページをアクセスして必要な情報を得、インターネットのアクセス終了時に、入力操作によって、携帯端末に情報を入力することもなされている。また、携帯端末に記憶されている情報のうち、必要なものを、情報処理装置用のＷｅｂページが表示されている状態で、情報処理装置に入力し直し、Ｗｅｂサーバに必要な情報を転送するようなことも生じている。
【０００６】
しかしながら、利用者が有する携帯端末や情報処理装置に情報が存在しながら、他方の情報処理装置や携帯端末に情報を入力し直すことには無駄が多い。
【０００７】
ところで、情報処理装置及び携帯端末間で情報を授受する方法として各種の方法があり、その方法を利用することにより、情報を入力し直すことをなくすこともできる。
【０００８】
例えば、インターネットを介して情報処理装置及び携帯端末間を接続させて情報を転送させる方法や、情報処理装置（又は携帯端末）の情報をカード状などの記録媒体に記憶させた後、携帯端末（又は情報処理装置）にその記録媒体を装着して情報を授受させる方法を適用することができる。また例えば、一方向の授受であれば、情報処理装置がＬＥＤなどの発光素子を情報に応じて点滅させ、携帯端末のＣＣＤカメラでその点滅を捉えて情報を受信する方法（非特許文献１参照）を適用することができる。
【０００９】
【非特許文献１】
「デジタルカメラと発光ＬＥＤによる通信」、日経エレクトロニクス、日経ＢＰ社発行、２００２年４月８日、ｐ３５
【００１０】
【発明が解決しようとする課題】
しかしながら、情報処理装置及び携帯端末間の情報転送にいずれの方法を適用したとしても、インターネットへのアクセスを終了した後、又は、インターネットへのアクセスを開始する前の情報転送である。
【００１１】
すなわち、従来においては、Ｗｅｂサーバや携帯端末の情報を、情報処理装置用のＷｅｂページを介して他方の装置に与えようとしても、リアルタイムで実行させることはできなかった。
【００１２】
そのため、情報管理サーバ（インターネットであればＷｅｂサーバが該当する）や携帯端末の情報を、他方に対し、リアルタイムで転送可能な情報処理装置や、通信システムが求められている。
【００１３】
【課題を解決するための手段】
かかる課題を解決するため、第１の本発明は、情報を管理している情報管理サーバにネットワークを介して接続可能な情報処理装置において、画像を表示させる表示手段と、上記情報管理サーバとの情報授受を行う対サーバ通信手段と、上記対サーバ通信手段が上記情報管理サーバから得た所定情報を光パターンデータに変換し、変換した光パターンデータに従い、上記表示手段による表示画像の全体又は一部の領域を第１の色成分及び第２の色成分間で発色変化させる画像利用光送信手段とを有することを特徴とする。
【００１４】
ここで、上記画像利用光送信手段は、上記対サーバ通信手段を介して上記情報管理サーバから、自己が行う処理手順情報を取得することが好ましい。
【００１５】
第２の本発明は、画像を表示させる表示手段を有する情報処理装置において、送信情報を光パターンデータに変換する変換手段と、変換した光パターンデータに従い、上記表示手段による表示画像の全体又は一部の領域を、第１の色成分及び第２の色成分間で発色変化させる発色制御手段とを有することを特徴とする。
【００１６】
第１及び第２の本発明において、上記第１の色成分が高輝度であり、上記第２の色成分が低輝度であり、両者の波長帯域が同様であることが好ましく、又は、上記第１の色成分が第１の波長帯域の色成分であり、上記第２の色成分が上記第１の波長帯域とは異なる第２の波長帯域の色成分であることが好ましい。
【００１７】
第３の本発明は、情報を管理している情報管理サーバと、ネットワークを介して上記情報管理サーバと接続可能な情報処理装置と、携帯端末とを有する通信システムであって、（１）上記情報処理装置が、画像を表示させる表示手段と、上記情報管理サーバとの情報授受を行う対サーバ通信手段と、上記対サーバ通信手段が上記情報管理サーバから得た所定情報を光パターンデータに変換し、変換した光パターンデータに従い、上記表示手段による表示画像の全体又は一部の領域を、第１の色成分及び第２の色成分間で発色変化させる画像利用光送信手段とを有し、（２）上記携帯端末が、上記情報処理装置の上記画像利用光送信手段による発色変化を受信処理する光受信手段を有することを特徴とする。
【００１８】
ここで、上記情報処理装置の上記画像利用光送信手段が、上記対サーバ通信手段を介して上記情報管理サーバから、自己が行う処理手順情報を取得することが好ましい。
【００１９】
また、上記携帯端末が、情報を近距離無線送信する近距離無線送信手段を有し、上記情報処理装置が、上記近距離無線送信手段が送信した情報を受信処理する近距離無線受信手段を有することが好ましい。
【００２０】
【発明の実施の形態】
（Ａ）実施形態
以下、本発明による情報処理装置及び通信システムの一実施形態を図面を参照しながら説明する。
【００２１】
この実施形態の通信システム１は、図１に示すように、Ｗｅｂサーバ２、情報処理装置としてのパソコン３及び携帯端末４を構成要素としており、Ｗｅｂサーバ２及びパソコン３は、インターネット５を介して接続され得るものである。
【００２２】
Ｗｅｂサーバ２は、パソコン３に対して、Ｗｅｂページを提供可能なものであり、その内部構成は、従来のものと同様である。
【００２３】
ここで、この実施形態の場合、提供する一部のＷｅｂページは、パソコン３及び携帯端末４間の後述する光パターン伝送を実行させるためのデータ（光パターン通信用プログラム）を直接又は添付ファイルとして有している。
【００２４】
この実施形態のパソコン３は、インターネット５を介し、該当するＷｅｂサーバ２をアクセスする機能を有すると共に、携帯端末４との間で、光点滅通信を行う機能とを有するものである。
【００２５】
図２は、パソコン３の概略機能ブロック図である。パソコン３は、インターネット５側との通信を行う通信部１０、制御部１１、メモリ部１２、入力部１３及び表示部１４などの一般的構成を備えると共に、光受信部１５を有する。
【００２６】
なお、メモリ部１２には、Ｗｅｂサーバ２をアクセスするためのブラウザ（閲覧入力用のアプリケーション）を格納されている。また、メモリ部１２には、通常のデータを光パターンに変換する処理ルーチンや、変換された光パターンに従い、後述する画像メモリ３０の画像データを書き換えるための処理ルーチンなども格納されている。
【００２７】
表示部１４は、ディスプレイ本体（例えば、ＣＲＴディスプレイや液晶ディスプレイなど）３２と、画像メモリ（いわゆるＶＲＡＭ）３０と、画像メモリ３０に格納された画像データに基づき、ディスプレイ本体を駆動制御する表示駆動部３１とからなっている。
【００２８】
光受信部１５は、受光素子２０、受光信号処理部２１及び復調・デジタル処理部２２などを有する。
【００２９】
受光素子２０は、到来した通信光を電気信号に変換するものである。受光素子２０は、適宜、その表面に波長フィルタ（省略しても良い）を有し、所定の波長帯域の光を電気信号に変換する。
【００３０】
受光信号処理部２１は、受光素子２０からの電気信号を増幅したり、パルス信号に波形整形したりするものであり、処理後の受信信号を復調・デジタル処理部２２に与えるものである。
【００３１】
復調・デジタル処理部２３は、受光信号処理部２１からの電気信号を復調してデータフレームを得たり、データフレームを分解したり、誤り検出、訂正を行ったりなどし、対向する携帯端末４が送信しようとしたデータ系列に戻すものである。
【００３２】
図３は、携帯端末４の概略機能ブロック図である。携帯端末４は、デジタル方式の携帯端末であり、メインＣＰＵ４０、ＲＯＭ４１、ＲＡＭ４２、ＥＥＰＲＯＭ４３、携帯回線用デジタル処理部４４、無線部４５、送受アンテナ４６、テンキー部４７及び表示部４８などの携帯電話回線を介した通信を実行し得る構成を有する。なお、図３では、携帯電話回線を介してデータ通信を行う構成だけを記載しているが、音声通信に対応する携帯端末４であれば、マイクロホンやスピーカや音声コーデックなども設けられている。
【００３３】
携帯端末４は、光通信部４９を有する。携帯端末４の光通信部４９は、通信制御部５０、変復調・デジタル処理部５１、発光駆動部５２、発光素子５３、受光素子５４及び受光信号処理部５５を有する。
【００３４】
通信制御部５０は、携帯端末４３全体の制御を司るメインＣＰＵ４０の制御下で、光通信の通信制御を実行するものである。
【００３５】
変復調・デジタル処理部５１は、パソコン３との間で授受するデータ本体を、光通信に適するようにデータ処理したりデータ変調したり、逆にデータ復調したりデータ逆処理したりするものである。変復調・デジタル処理部５１によって、適宜、データフレームの組立や分解や、誤り訂正符号の付加や誤り検出、訂正なども実行される。
【００３６】
発光駆動部５２は、変復調・デジタル処理部５１から与えられた変調データに応じ、発光素子５３を、オン、オフ駆動するものである。発光駆動部５２には、適宜、増幅器などが含まれる。
【００３７】
発光素子５３は、発光駆動部５２の駆動により、信号光を出射又は出射停止するものである。ここで、発光素子５３が出射する波長帯域（自然光の波長帯域でも良い）は、パソコン３との光通信で定められているものである。
【００３８】
受光素子５４は、到来した信号光を電気信号に変換するものである。受光素子５４は、適宜、その表面に波長フィルタを有し、所定の波長帯域の信号光を電気信号に変換する。
【００３９】
受光信号処理部５５は、受光素子５４からの電気信号を増幅したり、パルス信号に波形整形したりするものであり、処理後の受信信号を変復調・デジタル処理部５１に与えるものである。
【００４０】
なお、パソコン３の光受信部１５は、図４に示すように、パソコン本体３Ａではなく、表示部１４を構成するディスプレイの枠体に設けられていても良い。また、光受信部１５の全体ではなく、受光素子２０及び受光信号処理部２１など、一部要素がディスプレイの枠体に設けられていても良い。
【００４１】
次に、実施形態の通信システム１の動作、具体的には、Ｗｅｂサーバ２の情報を携帯端末４に与える際の動作を、図５のシーケンス図を参照しながら説明する。
【００４２】
利用者が、パソコン３に対してＵＲＬを入力すると（Ｓ１）、Ｗｅｂサーバ２がＵＲＬで特定されたＷｅｂページをパソコン３に送信し（Ｓ２）、そのＷｅｂページがパソコン３上に表示される（Ｓ３）。
【００４３】
ここで、アクセスされたＷｅｂページが光通信対応のＷｅｂページとする。このようなＷｅｂページの場合、光通信用プログラムが添付ファイルとして、パソコン３へのＷｅｂページの送信時（Ｓ２）に一緒にダウンロードされる。この光通信用プログラムは、独立したファイルとしてパソコン３が記憶しても良く、また、ブラウザにプラグインするようにしても良い。
【００４４】
なお、光通信用プログラムを、Ｗｅｂページを開く前に、別途転送させておくことを利用者に求めるようにしても良い。
【００４５】
光通信対応のＷｅｂページは、携帯端末４へ所定の情報を転送することを求めるアイコンや文字列などが含まれている。
【００４６】
図６は、この実施形態に係るＷｅｂページの表示画面例を示すものである。この例のＷｅｂページは、「×××講演会」の案内であり、「日程情報」というクリック可能な文字列ＣＨがあり、この文字列「日程情報」ＣＨに関連し、「ここをクリックすると携帯端末へ右上の送信領域により光送信します」というメッセージも表示される。送信領域ＡＲが、後述する光パターンを実行する領域であり、この領域ＡＲは、Ｗｅｂページ毎に異なっていても良い。
【００４７】
利用者が、携帯端末４へ所定の情報を転送することを求めるアイコンや文字列をクリックし、所定の情報をＷｅｂサーバ２に要求すると（Ｓ４）、Ｗｅｂサーバ２がその所定の情報をパソコン３に送信し（Ｓ５）、パソコン３がそれを受領する（Ｓ６）。所定の情報を受領したときには、パソコン３は、電源が投入され光通信用プログラムを起動された携帯端末４の光通信部４９を、上述したような送信領域（ＡＲ）に所定距離以内に近付けることを求めるメッセージを表示させると共に、携帯端末４への光通信を開始させるための「送信開始」のアイコンや文字列を表示させる。なお、この際、パソコン３上に、受領した所定の情報も表示させるようにしても良い。
【００４８】
利用者により「送信開始」のアイコンや文字列がクリックされると、パソコン３は、受領した所定の情報を、光パターンデータに変換する（Ｓ７）。
【００４９】
パソコン３は、その後、変換された光パターンデータに応じて、表示画像上の上述した送信領域ＡＲを発色変化させる送信動作を行う（Ｓ８）。
【００５０】
例えば、携帯端末４の光通信部４９の受光素子４４が自然光対応のものであれば、光パターンデータにおけるビット周期毎に、光パターンデータが「１」であれば「高輝度（白）」に、光パターンデータが「０」であれば「低輝度（黒）」（発光停止でも良い）に送信領域ＡＲを変化させる。また例えば、携帯端末４の光通信部４９の受光素子４４が赤色光をのみ光電変換するのものであれば、光パターンデータにおけるビット周期毎に、光パターンデータが「１」であれば「赤」に、光パターンデータが「０」であれば「赤以外の色（例えば青）」に送信領域ＡＲを変化させる。なお、光パターンデータにおけるビット周期は、ＣＲＴディスプレイを適用している場合では、管面画素の残像効果を考慮して選定する。
【００５１】
なお、この際には、画像メモリ３０全体に対する書換ではなく、送信領域ＡＲに対応したメモリ領域の書換であるので、高速処理が可能である。
【００５２】
上述した光パターンデータの変換（Ｓ７）や光パターンデータの送信動作（Ｓ８）は、Ｗｅｂサーバ２から提供された光通信用プログラムに従ってなされる。
【００５３】
光パターンデータとしては、例えば、モールス符号を適用でき、テキストデータをモールス符号列に変換し、モールス符号列における長短の符号共に、「１」を割当て、符号間の期間に「０」を割り当てるようにしても良い。
【００５４】
パソコン３は、上述したような光パターンデータの送信が終了すると、送信終了の旨を表示させる（Ｓ９）。
【００５５】
一方、利用者は、携帯端末４を送信領域ＡＲに対向させる前に、光通信用プログラムを起動させておき（Ｓ１０）、その後、携帯端末４を送信領域ＡＲに対向させる。
【００５６】
このような状態で、携帯端末４の光通信部４９は、光パターンデータを受信し、それを元のデータに戻して、例えば、ＥＥＰＲＯＭ４３に記憶する（Ｓ１１）。光パターンデータの受信が完了すると、携帯端末４は、その旨を表示させた後、自己の光通信用プログラムを終了させる（Ｓ１２）。
【００５７】
以上のような処理により、Ｗｅｂサーバ２からパソコン３経由で携帯端末４に与える所定の情報は任意であるが、上述した「日程情報」以外の例を挙げれば、以下の通りである。
【００５８】
電話番号、ｅメールアドレス、Ｗｅｂページアドレス（Ｗｅｂサイトアドレス）などの携帯端末４から、携帯電話回線を介してアクセス可能なものであっても良い。例えば、商品販売会社が情報処理装置用のＷｅｂページで、最新の商品案内を携帯端末４から取り出させることを通知すると共に、そのアドレス情報を、携帯端末４にロードできる旨を表示し、ロード用のアイコンや文字列がクリックされた際に、上述したような動作により、アドレス情報を携帯端末４に与えて記憶させるようにしても良い。
【００５９】
また例えば、営業マンや保守員の巡回経路を規定するルート情報を、営業マンや保守員が所属する会社の情報処理装置用のＷｅｂページを用い、パソコン３経由で、営業マンや保守員が携帯する携帯端末４に与えるようにしても良い。
【００６０】
次に、携帯端末４の情報をＷｅｂサーバ２に与える際の実施形態の通信システム１の動作を、図７のシーケンス図を参照しながら説明する。
【００６１】
利用者が、パソコン３に対してＵＲＬを入力すると（Ｓ２１）、Ｗｅｂサーバ２がＵＲＬで特定されたＷｅｂページをパソコン３に送信し（Ｓ２２）、そのＷｅｂページがパソコン３上に表示される（Ｓ２３）。
【００６２】
ここでも、アクセスされたＷｅｂページが光通信対応のＷｅｂページであり、光通信用プログラムが添付ファイルとして、パソコン３へのＷｅｂページの送信時（Ｓ２２）に一緒にダウンロードされるとする。
【００６３】
ここでの光通信対応のＷｅｂページは、携帯端末４の所定の情報を取り出してＷｅｂサーバ２に転送することを起動するアイコン又は文字列が含まれている。また、電源が投入され光通信用プログラムを起動された携帯端末４の赤外線通信部４９を、上述したような表示画像上の送信領域ＡＲ及び光受信部１５に所定距離以内に近付けることを求めるメッセージも表示される。なお、携帯端末４から情報を取り出すために表示される送信領域ＡＲは、光受信部１５の近傍位置に選定される。
【００６４】
利用者が、上述したアイコン又は文字列をクリックすると（Ｓ２４）、パソコン３は、携帯端末４の光通信部４９に対する、情報送信要求の情報を光パターンデータに変換し（Ｓ２５）、その光パターンデータに応じて、送信領域ＡＲの輝度や色成分を変化させて光送信させる（Ｓ２６）。
【００６５】
携帯端末４は、これ以前において、利用者によって、光通信用プログラムが起動されており（Ｓ２７）、対向する送信領域ＡＲから光パターンを受光すると（Ｓ２８）、その光パターンデータを変換して得た元の送信情報（情報送信要求）を解読し、所定情報の送信が求められていることを認識する（Ｓ２９）。
【００６６】
そして、携帯端末４は、光通信部４９からの送信の準備を行った後（Ｓ３０）、ＥＥＰＲＯＭ４３などから所定の情報を取り出してパソコン３に光送信する（Ｓ３１）。
【００６７】
パソコン３は、携帯端末４から所定の情報を受信すると、Ｗｅｂサーバ２に転送し（Ｓ３２）、Ｗｅｂサーバ２は、所定の情報を全て受信すると（Ｓ３３）、受信完了信号をパソコン３に返信する（Ｓ３４）。このとき、パソコン３は、転送完了を表示すると共に（Ｓ３５）、送信領域ＡＲの光パターンによって、受信完了信号を携帯端末４の光通信部４９に返送する（Ｓ３６）。携帯端末４も、転送完了を表示する（Ｓ３７）。
【００６８】
転送完了の表示時には、携帯端末４は、光通信のためのプログラムなどを終了させる（Ｓ３８）。
【００６９】
上記実施形態によれば、Ｗｅｂサーバ２が、情報処理装置用のＷｅｂページを用いて、利用者の必要に応じ、直ちに、携帯端末４に所定の情報を与えることができる。また、Ｗｅｂサーバ２が、情報処理装置用のＷｅｂページを用いて、言い換えると、インターネットのアクセス状態を終了させることなく、携帯端末４に存在する所定の情報を得ることができる。
【００７０】
また、上記実施形態によれば、パソコン３としてハードウェア的には光受信部だけを備えて、双方向の光通信を実行することができ、双方向の光通信を実行するにつき、パソコン３のハードウェア規模を抑えることができる。
【００７１】
（Ｂ）他の実施形態
上記実施形態においては、利用者によるアイコン又は文字列のクリックを待って、パソコン３経由で、Ｗｅｂサーバ２及び携帯端末４間で情報転送を行うものを示したが、Ｗｅｂページに自動起動用の処理ルーチンを付加しておき、パソコン３経由でのＷｅｂサーバ２及び携帯端末４間で情報転送を自動的に起動するようにしても良い。
【００７２】
また、上記実施形態では、パソコン３及び携帯端末４間での光通信の起動を、パソコン３側が行うものを示したが、利用者が携帯端末４に起動操作することにより、パソコン３及び携帯端末４間での光通信の起動を携帯端末４側が行うようにしても良い。
【００７３】
さらに、上記実施形態では、パソコン３への光通信用プログラムの提供を、Ｗｅｂページと共に行う場合を示したが、Ｗｅｂサーバ２から、携帯端末４への所定の情報をパソコン３へ与える際に併せて、パソコン３へ光通信用プログラムを提供するようにしても良い。また、上述したように、Ｗｅｂページの取り出し時と無関係なタイミングでパソコン３へ光通信用プログラムを提供するようにしても良い。
【００７４】
さらにまた、上記実施形態では、パソコン３から携帯端末４への情報転送と、携帯端末４からパソコン３への情報転送とを別個に行う場合を示したが、双方向の同時通信を行うようにしても良い。
【００７５】
また、パソコン３から携帯端末４への光通信での波長帯域と、携帯端末４からパソコン３への光通信での波長帯域とが異なっていても良い。また、携帯端末４からパソコン３への情報転送は、光通信以外の近距離無線通信方法、例えば、ブルーツゥース（登録商標）などを適用しても良い。
【００７６】
さらに、上記実施形態では、インターネットを利用した通信システムを示したが、他のネットワークに関して本発明を適用することができる。要は、情報管理サーバ（実施形態でのＷｅｂサーバが相当）と情報処理装置（実施形態でのパソコン）とを通信リソースとするネットワークであれば良く、ＬＡＮやＷＡＮやＭＡＮなどであっても良い。
【００７７】
さらにまた、実施形態のパソコン３から携帯端末４への光通信方法を、情報処理装置と他の情報処理装置との光通信に適用することができる。
【００７８】
また、上記実施形態においては、パソコン３の表示画像の一部の１箇所の領域（送信領域ＡＲ）を光通信に利用するものを示したが、複数箇所の領域を光通信に利用するようにしても良い。この場合、複数の携帯端末との同時通信も可能となる。さらに、パソコン３の表示画像の全体を光通信に利用するようにしても良い。
【００７９】
さらに、パソコン３のディスプレイの一部領域を固定的に光通信領域とするようにしても良く、この場合、その領域の管面などに、特定色を発色する処理を施しておくようにしても良い。
【００８０】
さらにまた、上記実施形態では、携帯端末が受光素子で表示画像の送信領域の光パターン（発色変化）を捕捉して処理するものを示したが、ＣＣＤカメラなどの撮像素子で光パターン（発色変化）を捕捉し、画像処理によりそのパターンを認識するようにしても良い。
【００８１】
【発明の効果】
以上のように、本発明の情報処理装置及び通信システムによれば、情報管理サーバや携帯端末の情報を、他方に対し、情報処理装置経由でリアルタイムに転送することができる。
【００８２】
また、他の本発明の情報処理装置によれば、情報処理装置に専用的なハードウェア構成の光送信部を設けることなく、光通信を行うことができる。
【図面の簡単な説明】
【図１】実施形態の通信システムの全体構成を示すブロック図である。
【図２】実施形態のパソコンの機能ブロック図である。
【図３】実施形態の携帯端末の機能ブロック図である。
【図４】実施形態のパソコンの赤外線通信部の設置位置例の説明図である。
【図５】実施形態のＷｅｂページの表示例を示す説明図である。
【図６】実施形態のＷｅｂサーバから携帯端末への情報転送動作を示すシーケンス図である。
【図７】実施形態の携帯端末からＷｅｂサーバへの情報転送動作を示すシーケンス図である。
【符号の説明】
１…通信システム、２…Ｗｅｂサーバ、３…パソコン、４…携帯端末、５…インターネット、１１…制御部、１２…メモリ部、１４…表示部、２０、５４…受光素子、２１、５５…受光信号処理部、４９…赤外線通信部、５０…通信制御部、５１…変復調・デジタル処理部、５２…発光駆動部、５３…発光素子。
【図１】
2004151842.tif 000003
【図２】
2004151842.tif 000004
【図３】
2004151842.tif 000005
【図４】
2004151842.tif 000006
【図５】
2004151842.tif 000007
【図６】
2004151842.tif 000008
【図７】
2004151842.tif 000009